(57)【要約】【課題】携帯電話機などの移動端末機において、メール送信などの機能を実行させようとする度に、一々、暗証番号を移動端末機に入力しなくても、その機能を発揮させ得るようにする。【解決手段】携帯電話機１の外部通信端子３に外部装着機器２を接続したものにおいて、携帯電話機１は、その記憶部４に暗証コード及び機種コードを記憶し、前記機種コードを外部装着機器２へ送信する。外部装着機器２には、携帯電話機１の前記暗証コード及び前記機種コードを含む所定の機種コードを記憶するメモリ８を設け、そのＣＰＵ７は、受信した前記機種コードを参照して、該暗証コードを携帯電話機１へ送信する構成とする。【選択図】    図１
2004173220.tif 000002
【特許請求の範囲】
【請求項１】
ネットワークにアクセスする機能を有し、外部通信端子を有する移動端末機と、前記外部通信端子に接続して前記移動端末機に付設する外部装着機器と、を含み、
前記移動端末機は、
自身の使用者を認証するための暗証情報を予め記憶している暗証コード記憶部と、
前記移動端末機を同定するための識別情報として、少なくとも機種コードを記憶する端末識別情報記憶部と、
前記識別情報を前記外部通信端子を介して前記外部装着機器に伝送するとともに、前記移動端末機の外部から入力してくる情報と前記暗証コード記憶部が記憶する該暗証情報とを参照して認証動作を実行する制御部と、を具備する構成であり、
前記外部装着機器は、
前記移動端末機の暗証情報を記憶するメモリと、
所定の移動端末機の機種コードを予め記憶させておく機種識別情報記憶用メモリと、
前記制御部から受信する前記識別情報と前記機種識別情報記憶用メモリが記憶する機種コードとを参照して、前記端末暗証コード記憶用メモリが記憶する暗証情報を前記移動端末機に伝送するか否かを判断するとともに、その判断に応じて移動端末機の暗証情報を記憶する該メモリが記憶する暗証情報を前記外部通信端子を介して前記制御部へ伝送する、外部装着機器制御手段と、
を具備する構成であることを特徴とする、移動端末機の暗証情報入力方式。
【請求項２】
前記移動端末機は、
情報入力用のキー部と、
前記キー部から入力された暗証情報を記憶する入力情報記憶部と、
前記キー部から所定の指令が入力されたとき、前記入力情報記憶部が記憶する該暗証情報を前記外部通信端子を介して前記外部装着機器へ伝送する制御部と、を具備する構成であり、
前記外部装着機器制御手段は、受信した該暗証情報を、移動端末機の暗証情報を記憶する該メモリに記憶させる、移動端末機の暗証情報入力方式。
【請求項３】
前記識別情報には、前記機種コードの他に該移動端末機のＩＤを含むものである、請求項１記載または請求項２記載の移動端末機の暗証情報入力方式。
【請求項４】
前記ＩＤは、前記移動端末機の発信者番号情報である、請求項１記載、請求項２記載または請求項３記載の移動端末機の暗証情報入力方式。
【請求項５】
前記外部装着機器は、無線通信手段を具備する、請求項１記載、請求項２記載、請求項３記載または請求項４記載の移動端末機の暗証情報入力方式。
【請求項６】
前記外部装着機器が前記無線通信手段で通信する相手は、電気符号錠装置である、請求項５記載の移動端末機の暗証情報入力方式。
【請求項７】
前記移動端末機及び前記外部装着機器は、前記外部装着機器が出力する情報を前記移動端末機が前記ネットワークへ送信する構成である、請求項１記載、請求項２記載、請求項３記載、請求項４記載、請求項５記載または請求項６記載の移動端末機の暗証情報入力方式。
【請求項８】
前記移動端末機は、携帯電話機である、請求項１記載、請求項２記載、請求項３記載、請求項４記載、請求項５記載、請求項６記載または請求項７記載の移動端末機の暗証情報入力方式。
【発明の詳細な説明】
【０００１】
【発明の属する技術分野】
本発明は、携帯電話機、ＰＤＡなどのいわゆる電子メールを送信、発信可能な移動通信端末機、移動端末機の暗証情報入力方式に関する。
【０００２】
【従来の技術】
いわゆる携帯電話機（移動電話機）、ＰＤＡなどの移動通信端末機ないし移動端末機において、外部接続コネクタ（外部通信端子）に電子装置を付設して、該電子装置で収集した情報を、ネットワーク上もしくはネットワークに接続可能なセンタやサーバに、例えば電子メールなどで送信することが行われている。例えば、特開２００２−２１８０２９号公報には、その装着により、市販の携帯電話機を、ネットワーク上の保管庫に保存されるべき要保存データの自動収集端末として機能させることが可能な携帯電話機用アタッチメントが開示されている。
ところで、携帯電話機などの移動通信端末機では、その機能を使うときに、暗証番号（暗証情報）を入力しなければならないものがある。例えば、携帯電話機で電子メールを送信する際、暗証情報（パスワード）ないし暗証コードをそのテンキーなどで打ち込まなければならないものがある。具体的には、キャリア（通信事業者）で言えばＪ−ｐｈｏｎｅ、すなわちジェイフォン株式会社の携帯電話機がそうである。
前記特開２００２−２１８０２９号公報においても、請求項８に、携帯電話機制御手段は、携帯電話機のテンキーを利用した所定暗証コードの入力に基づき、データ送信及び要保存データの保管庫への送信経路の確立を終了する、旨の記載がある。すなわち、携帯電話機が具備するテンキーでもって、ユーザが記憶している暗証情報を打ち込んで、携帯電話機は、はじめてアタッチメント（付設装置）が収集した情報をネットワーク上の保管庫（センタないしサーバ）へ送信できるわけである。
しかし、携帯電話機で電子メールを送信する際、一々、携帯電話機に暗証番号をユーザが指で入力するのは面倒である。
【０００３】
【特許文献１】
特開２００２−２１８０２９号公報
【０００４】
【発明が解決しようとする課題】
本発明に係る移動端末機の暗証番号入力方式は、上記問題点に鑑み、成されたものであり、次の課題を解決することを目的とする。
携帯電話機などの移動端末機において、その機能、例えばメール送信などの機能を実行させようとする度に、一々、暗証番号を移動端末機に入力しなくても、その機能を発揮させ得る、移動端末機の暗証番号入力方式を提供する。
【０００５】
【課題を解決するための手段】
上記課題を解決するための本発明の第１発明は、請求項１に記載されたとおりの移動端末機の暗証情報入力方式であり、次のようなものである。
移動端末機の暗証情報入力方式は、ネットワークにアクセスする機能を有し、外部通信端子を有する移動端末機と、前記外部通信端子に接続して前記移動端末機に付設する外部装着機器と、を含む構成である。
そして、前記移動端末機は、自身の使用者を認証するための暗証情報を予め記憶している暗証コード記憶部と、前記移動端末機を同定するための識別情報として、少なくとも機種コードを記憶する端末識別情報記憶部と、前記識別情報を前記外部通信端子を介して前記外部装着機器に伝送するとともに、前記移動端末機の外部から入力してくる情報と前記暗証コード記憶部が記憶する該暗証情報とを参照して認証動作を実行する制御部と、を具備する。
また、前記外部装着機器は、前記移動端末機の暗証情報を記憶するメモリと、所定の移動端末機の機種コードを予め記憶させておく機種識別情報記憶用メモリと、前記制御部から受信する前記識別情報と前記機種識別情報記憶用メモリが記憶する機種コードとを参照して、前記端末暗証コード記憶用メモリが記憶する暗証情報を前記移動端末機に伝送するか否かを判断するとともに、その判断に応じて移動端末機の暗証情報を記憶する該メモリが記憶する暗証情報を前記外部通信端子を介して前記制御部へ伝送する、外部装着機器制御手段と、を具備する。
【０００６】
上記課題を解決するための本発明の第２発明は、請求項２に記載されたとおりの移動端末機の暗証情報入力方式であり、次のようなものである。
請求項１記載の移動端末機の暗証番号入力方式において、前記移動端末機は、情報入力用のキー部と、前記キー部から入力された暗証情報を記憶する入力情報記憶部と、前記キー部から所定の指令が入力されたとき、前記入力情報記憶部が記憶する該暗証情報を前記外部通信端子を介して前記外部装着機器へ伝送する制御部と、を具備する構成であり、前記外部装着機器制御手段は、受信した該暗証情報を、移動端末機の暗証情報を記憶する該メモリに記憶させる、ものである。
【０００７】
上記課題を解決するための本発明の第３発明は、請求項３に記載されたとおりの移動端末機の暗証情報入力方式であり、次のようなものである。
請求項１記載または請求項２記載の移動端末機の暗証情報入力方式において、前記識別情報には、前記機種コードの他に該移動端末機のＩＤを含むものである。
【０００８】
上記課題を解決するための本発明の第４発明は、請求項４に記載されたとおりの移動端末機の暗証情報入力方式であり、次のようなものである。
請求項１記載、請求項２記載または請求項３記載の移動端末機の暗証番号入力方式において、前記ＩＤは、前記移動端末機の発信者番号情報であるものである。
なお、前記発信者番号というのは、前記移動端末機が例えば携帯電話機なら、いわゆる電話番号（加入者番号）のことである。
【０００９】
上記課題を解決するための本発明の第５発明は、請求項５に記載されたとおりの移動端末機の暗証情報入力方式であり、次のようなものである。
請求項１記載、請求項２記載、請求項３記載または請求項４記載の移動端末機の暗証番号入力方式において、前記外部装着機器は、無線通信手段を具備するものである。
【００１０】
上記課題を解決するための本発明の第６発明は、請求項６に記載されたとおりの移動端末機の暗証情報入力方式であり、次のようなものである。
請求項５記載の移動端末機の暗証情報入力方式において、前記外部装着機器が前記無線通信手段で通信する相手は、電気符号錠装置であるものである。
【００１１】
上記課題を解決するための本発明の第７発明は、請求項７に記載されたとおりの移動端末機の暗証情報入力方式であり、次のようなものである。
請求項１記載、請求項２記載、請求項３記載、請求項４記載、請求項５記載または請求項６記載の移動端末機の暗証情報入力方式において、前記移動端末機及び前記外部装着機器は、前記外部装着機器が出力する情報を前記移動端末機が前記ネットワークへ送信する構成である。
【００１２】
上記課題を解決するための本発明の第８発明は、請求項８に記載されたとおりの移動端末機の暗証情報入力方式であり、次のようなものである。
請求項１記載、請求項２記載、請求項３記載、請求項４記載、請求項５記載、請求項６記載または請求項７記載の移動端末機の暗証情報入力方式において、前記移動端末機は、携帯電話機であるものである。
【００１３】
【発明の実施の形態】
図１は、本発明に係わる移動端末機の暗証情報入力方式の実施の形態を示すブロック図である。
移動端末機は、電話網、ＩＰ網、ＬＡＮ、インターネットなどのネットワーク１０にアクセスして情報を送信したり、受信したり、または送受信したりし得るものであれば、何でもよい。ここでは、携帯電話機１を例として説明を行なう。
携帯電話機１は、外部の機器とデータないし情報通信をするための外部通信端子３を具備する。一般に市販の携帯電話機は、そのような端子ないしコネクタを具備しているので、本発明の実施においてもそれを利用することが可能である。
外部装着機器２というのは、電子機器ないし電気機器、すなわち電源で駆動する装置のことであり、携帯電話機１が具備する外部通信端子３に接続可能なものならどのようなものでよい。代表的には、情報収集装置、情報記憶装置、またはリモコン装置などがそれに該当する。
【００１４】
携帯電話機１は、自身の使用者（所持者）を認証（正当性を確認）するための暗証情報を予め記憶している、暗証コード記憶部を具備する。図１では、記憶部が暗証コード記憶部に該当する。この携帯電話機１でネットワーク１０にアクセスして、電子メールを送信する際には、前記暗証コードによる認証が行われなければならないようになっているわけである。
また、携帯電話機１は、自身、すなわちその使用者ではなく携帯電話機１そのもののいわば身元を同定するための識別情報として、少なくとも機種コードを記憶する端末識別情報記憶部を具備する。図１では、記憶部４が端末識別情報記憶部に該当する。端末識別情報記憶部が記憶する機種コード以外の識別情報としては、携帯電話機１のシリアル番号や端末ＩＤ（例、電話番号情報）などが挙げられる。また、前記した暗証コード記憶部とこの端末識別情報記憶部とは、図１のように同じ記憶装置（記憶部４）でもよく、それぞれ別々の記憶装置に割り当ててもよい。
なお、機種コードというのは、携帯電話機のメーカとその機種とを判別するためにメーカが携帯電話機に付す（記憶させる）情報であり、携帯電話機の出荷時には既に付されているものである。機種コードは、同型の機種であれば、当然、同一のコードであるか、少なくとも同一のコードを情報の中に含んでいる。
【００１５】
制御部５は、携帯電話機１の中央制御装置、制御中枢であり、認証動作と外部装着機器２との通信を行なう。
制御部５は、外部装着機器２との通信ステップに応じて（外部装着機器２からの要求に応じて）、前記した識別情報、具体的には少なくとも機種コードを、外部通信端子３を介して外部装着機器２に伝送する。機種コード以外の識別情報を、記憶部４に記憶させる目的は、その情報（代表的には発信者番号情報などの端末のＩＤとなり得る情報）を外部装着機器２へ伝送して照合するためである。そうすることで、外部装着機器２を接続した携帯電話機１を、機種コードだけの照合の場合と比べて、よりセキュアに使用することが期待できる。
また、制御部５は、携帯電話機１の外部から、すなわち外部通信端子３を介して入力してくる情報と、記憶部４が記憶する暗証コードと、を参照して認証動作を実行する。当然、その認証動作実行の結果が使用者の正当性を否定するものでれば、携帯電話機１は、予めそのメーカによって設計された通り、使用制限状態となる。具体的には、この携帯電話機１では、電子メールの送信ができない。
その認証動作実行の結果が使用者の正当性を肯定するものであれば、携帯電話機１で、電子メール送信などの所定の機能を使うことができる。
【００１６】
外部装着機器２は、携帯電話機１の暗証情報、すなわち、記憶部４が記憶している暗証コードと同じ暗証コードを記憶するメモリ８を具備する。
また、外部装着機器２は、少なくとも１機種の機種コードを予め記憶させておく機種識別情報記憶用メモリを具備する。図１では、メモリ８が機種識別情報記憶用メモリに該当する。外部装着機器２のメモリ８に記憶させる機種コードの数は、外部装着機器２に接続して使用を所望する携帯電話機の数である。外部装着機器２を１０種類の機種の携帯電話機に適応させたいなら（接続して使うことを許容想定するなら）、その１０種類の携帯電話機の機種コードをメモリ８に予め記憶させる。
なお、携帯電話機１の暗証情報を記憶するメモリと、機種識別情報記憶用メモリは、図１のように同じメモリ８でもよく、別々のメモリに割り当ててもよい。
【００１７】
外部装着機器２は、外部装着機器制御手段を具備しており、図１では、ＣＰＵがそれに相当する。なお、ＣＰＵ７を動作させるプログラムを格納するＲＯＭなどのＣＰＵの周辺装置は、図示を省略している。
携帯電話機１と外部装着機器２が外部通信端子３を介して接続されると、ＣＰＵ７は、携帯電話機１の制御部５との通信ステップを実行する。前記通信ステップ実行の切っ掛けは、自動（例、両者が接続されたことを検出）でも手動（例、携帯電話機１または外部装着機器２へのコマンド入力）でもよい。
ＣＰＵ７は、制御部５から識別情報を受信する。この識別情報は、前記したように携帯電話機１の機種コードである。もちろん、識別情報には、該機種コードの他に端末ＩＤ（電話番号情報）などが含まれていてもよい。
ＣＰＵ７は、受信した機種コードと、メモリ８が記憶している機種コードを参照して、すなわち照合して、メモリ８が記憶する暗証コードを携帯電話機１に伝送するか否かを判断する。当然、伝送、否の場合、ＣＰＵ７は、その伝送を行なわない。メモリ８が記憶する暗証コードを携帯電話機１に伝送するべきとＣＰＵ７が判断した場合、メモリ８が記憶する携帯電話機１の暗証コードを外部通信端子３を介して制御部５へ伝送する。
上述したように、制御部５は、受信した暗証コードを使って、携帯電話機１の使用者の認証を行なうことができる。
以上の説明で明らかなように、暗証コードの入力が必要な機能を携帯電話機１に実行させるのに、その使用者は、暗証コードを携帯電話機１のテンキー６（情報入力用のキー部）に打ち込んではいないことが分かる。
【００１８】
携帯電話機１の所有者は、予め記憶部４に記憶された暗証コードを、自分の頭の中で記憶している。もしくは、忘れない様にメモしたりなどしている。
その暗証コードを他人に教えることはセキュリティ上問題がある。従って、暗証コードを業者に教えて、外部装着機器２のメモリに書き込んでもらうことは、できれば避けたいところである。
本発明は、この問題を解決する構成も用意している。
携帯電話機１は、情報入力用のキー部として、いわゆるテンキー６を具備している。このテンキー６を暗証コード入力用のキーとして利用し、制御部５は、打ち込んだ暗証コードを外部装着機器２に転送するのである。
携帯電話機１のテンキー６から入力された暗証コードを、制御部５は、入力情報記憶部４ｂに憶させる。制御部５は、テンキー６による所定コマンド入力を検知すると、入力情報記憶部４ｂに記憶させている該暗証コードを外部通信端子３を介して外部装着機器２（のＣＰＵ７）へ伝送する。
なお、入力情報記憶部４ｂは、記憶部４に設けてもよい。つまり、記憶部４に兼ねさせてもよい。また、テンキー６による所定コマンド入力は、テンキー６で暗証コードを打ち込む前でも後でもよい。
ＣＰＵ７は、受信した該暗証コードを、メモリ８もしくは図示しない別のメモリに記憶させる。
これで、携帯電話機１の使用者自身が、暗証コードを外部装着機器２に登録、すなわち記憶させることができた。
【００１９】
外部装着機器２は、無線通信手段９を具備する構成であってもよい。また、無線通信手段９で通信する相手は、電気符号錠装置１１であってもよい。もちろん、外部装着機器２の無線通信手段９が通信する相手は、電気符号錠装置１１に限定されるものではなく、無線通信が可能な装置であれば何でもよい。
【００２０】
携帯電話機１及び外部装着機器２、すなわち、両者を外部通信端子３を介して接続状態としたものは、外部装着機器２（が記憶し、ＣＰＵ７）が出力する情報を、携帯電話機１がネットワーク１０へ送信する構成であってもよい。
【００２１】
本発明の実施の形態の説明においては、移動端末機は、携帯電話機を例として説明したけれども、ＰＤＡでもよく、ＰＨＳ機でもよく、または無線ＬＡＮアクセス機能を具備するいわゆるノートパソコンでもよいし、その他のネットワークアクセス機器でもよい。
【００２２】
【発明の効果】
本発明に係る移動端末機の暗証情報入力方式は、以上説明してきたような構成であるので、以下に記載する効果を奏する。
移動端末機の使用者は、暗証番号入力が必要な機能を移動端末機に発揮させるに際して、一々、該暗証情報を入力する必要がない。外部装着機器に予め記憶させている該暗証情報が移動端末機へ出力され、該移動端末機で認証が行われるからである。
また、移動端末機のユーザは、該暗証情報を、他の誰かに外部装着機器に登録してもらうのではなく、自分自身で、移動端末機で該暗証番号を入力して、該外部装着機器に記憶させることができる。従って、暗証情報を他人に知られる恐れがなく、セキュリティ上からも安心である。
【図面の簡単な説明】
【図１】本発明に係わる移動端末機の暗証情報入力方式の実施の形態を示すブロック図である。
【符号の説明】
１  携帯電話機
２  外部装着機器
３  外部通信端子
４  記憶部
４ｂ  入力情報記憶部
５  入力情報記憶部
６  テンキー
７  ＣＰＵ
８  メモリ
９  無線通信手段
１０  ネットワーク
１１  電気符号錠装置
【図１】
2004173220.tif 000003